(57)【要約】同一のヘアトリマー装置（１）を有して引くこと及び押すことによって体毛をトリミングし得るよう、コームユニット（６）は、引き位置（８）及び押し位置（９）である少なくとも２つの異なる位置（８，９）においてトリミングヘッド（１６）にわたって位置付けられる。特には、異なるコーム位置（８，９）において、コームユニットのフィン（１３）の先端（２０）は、夫々の運動の方向に向く。望ましくは、コームユニット（６）は、取外し可能に取り付けられる。望ましい一実施例では、トリミングヘッド（１６）は、トリミングヘッド（１９）に加えてシェービング手段（１８）を有する。
2008536548.tif 000002
【特許請求の範囲】
【請求項１】
メインボディと、トリミングヘッドと、該トリミングヘッド上に配置されるコームユニットとを有する、ヘアトリマー装置であって、
前記コームユニットは、少なくとも２つの異なる位置において位置付けられ得、該２つの異なる位置のうち第１の位置において前記ヘアトリマー装置は引かれ、第２の位置において前記ヘアトリマー装置は押される、ことを特徴とする、
ヘアトリマー装置。
【請求項２】
前記コームユニットは、フィンを有し、
前記コームユニットは、前記少なくとも２つの位置において位置付けられ、前記フィンの先端が夫々引き方向又は押し方向を向くようにする、
ことを特徴とする、
請求項１記載のヘアトリマー装置。
【請求項３】
前記コームユニットは、フィンを有し、
該フィンの向きによって定義される軸と前記メインボディによって定義される軸との間の角度は、前記コームユニットの押し位置におけるより、前記コームユニットの引き位置において小さい、
ことを特徴とする、
請求項１又は２記載のヘアトリマー装置。
【請求項４】
前記フィンの前記方向によって定義される前記軸と前記メインボディによって定義される前記軸との間の前記角度は、前記コームユニットの引き位置においては０°乃至４０°であり、前記コームユニットの押し位置においては３０°乃至７０°である、
ことを特徴とする、
請求項１乃至３のうちいずれか一項記載のヘアトリマー装置。
【請求項５】
前記トリミングヘッドの方向によって定義される軸と前記メインボディによって定義される前記軸との間の角度は、０°より大きい、
ことを特徴とする、
請求項１乃至４のうちいずれか一項記載のヘアトリマー装置。
【請求項６】
前記トリミングヘッドは、少なくとも１つのトリミング手段を有する、
ことを特徴とする、
請求項１乃至５のうちいずれか一項記載のヘアトリマー装置。
【請求項７】
前記トリミングヘッドは、２つのトリミング手段を有する、
ことを特徴とする、
請求項１乃至６のうちいずれか一項記載のヘアトリマー装置。
【請求項８】
前記トリミングヘッドは、少なくとも１つのシェービング手段を有する、
ことを特徴とする、
請求項１乃至７のうちいずれか一項記載のヘアトリマー装置。
【請求項９】
前記トリミングヘッドは、２つのトリミング手段の間において配置されるシェービング手段を有する、
ことを特徴とする、
請求項１乃至８のうちいずれか一項記載のヘアトリマー装置。
【請求項１０】
取外し可能な付属部品であるコームユニットであって、
請求項１乃至９に従うヘアトリマー装置を有して使用される、
コームユニット。
【発明の詳細な説明】
【技術分野】
【０００１】
本発明は、メインボディ、トリミングヘッド、及びトリミングヘッド上に配置される取外し可能なコームユニットを有する、ヘアトリマー装置に係る。本発明は更に、かかるヘアトリマー装置を有する使用に対するコームユニットに係る。
【背景技術】
【０００２】
体毛を切断する及び／又は剃ることによって頭部及び顔面上の体毛をトリミングすることを除いて、ユーザグループによっては、足、腕、胸、脇、又は陰部の毛等である異なる身体部位上の体毛を切断する又は剃ることによって除去することを必要としている。かかる身体部位は、手が非常に届きにくく、大変敏感であり得る。故に、誤って皮膚を傷つける危険性は、最小限に抑えられなければならない。１つの可能性は、運動の異なる方向を使用することである。装置を引くこと（ｐｕｌｌｉｎｇ）によって体毛を除去することがより容易であり得る場合があれば、装置を押すこと（ｐｕｓｈｉｎｇ）によって体毛を除去するほうがより容易であり得る場合もある。より高い顧客満足に対して、引く及び押す等である、異なる種類の適用に対して単一の装置を有することが可能であるべきである。
【０００３】
異なる適用を可能にするヘアクリッピング装置（ｈａｉｒ  ｃｌｉｐｐｉｎｇ  ｄｅｖｉｃｅ）は既知であり、例えばＥＰ  １  ２１６  ７９９  Ａ２（特許文献１）に従うヘアクリッピング装置は、回転可能なブレードセットの第１の位置において全体的なトリミングを、回転可能なブレードセットの第２の位置において細かいトリミングを可能にする。
【０００４】
より詳細には、特許文献１は、複数の切断エッジ部を有する回転ブレードセットを有するヘアクリップ装置を開示する。ブレードセットは、少なくとも１つの固定ブレード、及び、少なくとも１つの固定ブレードに対する相互運動に対して構成される１つの可動ブレードを有する。固定ブレードは、第１の切断エッジ部及び第２の切断エッジ部を有する。可動ブレードは、第１の切断エッジ部に相対的な相互運動に対して構成される第１の可動エッジ部、及び、第２の切断エッジ部に相対的な相互運動に対して構成される第２の可動エッジ部を有する。夫々の切断エッジ部は、望ましくは互いに対して背中合わせの関係にあり、一側上のエッジ部は、細かいトリミングに対して幅が狭く、他側上のエッジ部は全体的なトリミングに対して幅広い。ブレードセットは、幅広いエッジ部が用いられる第１の位置と幅が狭いエッジ部が用いられる第２の位置との間における筐体上において回転可能に係合し得る。これは、全体的なトリミング又は細かいトリミングのいずれかを選択的に行う機能をユーザに提供する。有利には、ヘアクリップ装置の筐体は、ブレードセットが幅広いエッジ部を使用する位置にあるか、あるいは幅の狭いエッジ部を使用する位置にあるかにかかわらず、ユーザが単一のグリップ位置を保持し得るよう、構成される。交換可能な付属品であるコームは、体毛を均等な長さに切断するユーザを支援するために使用される。
【０００５】
回転可能に係合し得るブレードセットは、可動ブレードがヘアクリップ装置の筐体において配置される電気モータによって駆動されることを保証するよう、また、ブレードセットが所望される位置において固定されることを保証するよう、複雑な機構を必要とする。複雑な機構は、ヘアクリップの詰まり又は摩耗等による不具合を起こす傾向があり、また、製造コストを増大させる。
【特許文献１】ＥＰ  １  ２１６  ７９９  Ａ２
【発明の開示】
【発明が解決しようとする課題】
【０００６】
本発明は、ヘアクリップ装置を改善し、既知の配置の前出の不利点を回避する一方、引き運動（ｐｕｌｌｉｎｇ  ｍｏｖｅｍｅｎｔ）及び押し運動（ｐｕｓｈｉｎｇ  ｍｏｖｅｍｅｎｔ）によるトリミングを可能にする、ことを目的とする。
【課題を解決するための手段】
【０００７】
この目的は、メインボディ、トリミングヘッド、及びトリミングヘッド上に配置されるコームユニットを有するヘアトリマー装置によって達成される。当該ヘアトリマー装置は、コームユニットが少なくとも２つの異なる位置において位置付けられ得る、ことを特徴とする。該２つの異なる位置の第１の位置において、ヘアトリマー装置は引かれ、第２の位置において、ヘアトリマー装置は押される。
【０００８】
コームユニットの位置を変更することのみによって、ユーザは、本発明に従った装置の引き適用（ｐｕｌｌｉｎｇ  ａｐｐｌｉｃａｔｉｏｎ）と押し適用との間の切替えをし得る。コームユニットは、トリミングヘッド及び／又はメインボディに対して取外し可能に、又は取外し不能に取り付けられ得る。取付け手段は、コームユニット及び／又はトリミングヘッド及び／又はメインボディ上に与えられ得る。技術的に既知である取付けの方途が使用され得、該方途は、最も一般的な可能性のうち複数のみ挙げると、スナップ留め、クランプ留め等である。コームユニットの取付けの複数の方途は、技術的に既知であり、僅かで単純な機械的対策（ｍｅｃｈａｎｉｃａｌ  ｐｒｏｖｉｓｉｏｎｓ）を有して達成される。
【０００９】
取外し可能なコームユニットの場合において、コームユニットは、望ましくは、異なる位置間の変更に対して取外し及び再取付けされ得、動かせないコームユニットの場合においては、コームユニットは、望ましくは、位置の変更をユーザにとって可能な限り容易にするようピボットされ得る。
【００１０】
望ましい実施例では、コームユニットは、フィンを有し、夫コームユニットは、少なくとも２つの位置において位置付けられ、フィンの先端が夫々引き方向又は押し方向において向くようにする。故に、トリミング中、皮膚と、一方では体毛と、他方ではヘアトリマー装置との間における接触は、皮膚に触れるフィンを有してコームユニットを介してなされる。実際には、フィンの向きは、引き運動又は押し運動の方向を定義する。更には、運動の方向を向くフィンの先端を有することによって、フィンの先端が第１の位置においてトリミングされるべき体毛に達して（ｐｅｎｅｔｒａｔｅ）、コームユニットによって到達可能である全ての体毛の均等な切断を達成するよう体毛を直立させるため、コームユニットは、最も効率的に使用されることを確実にされる。
【００１１】
一方向及び他方向に向くフィンの先端を有する位置間を切り替えることによって、コームユニットは、単一の位置においてのみ位置付けられ得るコームユニットより更に小型に設計され得、フィンを少なくとも２つの異なる位置において向けさせることによって引き運動及び押し運動をいずれも可能にする。かかる大きなコームユニットは、身体部位の狭い領域における近接性を低減するため、便利ではない。
【００１２】
有利には、コームユニットは、フィンを有し、フィンの向きによって定義される軸と、メインボディによって定義される軸との間の角度は、コームユニットの押し位置におけるよりコームユニットに引き位置において更に小さい。人間工学の観点から、より小さい角度は、大半のユーザにとって、ヘアトリマー装置を押すことに対するよりヘアトリマー装置を引くことに対して更に便利である、ことを本願発明者は理解している。
【００１３】
望ましくは、フィンの向きによって定義される軸とメインボディによって定義される軸との間の角度は、コームユニットに引き位置においては０°乃至４０°であり、コームユニットの押し位置においては３０°乃至７０°である。最適な角度は、実際のユーザの寸法及びプロポーションに依存し、特にはトリミングされるべき身体部位に対するユーザの腕の長さに依存する。
【００１４】
本発明に従った装置の人間工学（ｅｒｇｏｎｏｍｉｃｓ）は、トリミングヘッドの向きによって定義される軸とメインボディによって定義される軸との間の角度が０°より大きい場合に、更に強化される。５０°乃至７０°の範囲における角度は、望ましい。メインボディの軸からトリミングヘッドをはずす（ｈａｖｉｎｇ  ｔｈｅ  ｔｒｉｍｍｉｎｇ  ｈｅａｄ  ｏｆｆ  ｔｈｅ  ａｘｉｓ）ことによって、脇又は脚等である幅の狭い及び／又は湾曲した身体部位の近接性は、向上される。
【００１５】
望ましくは、トリミングヘッドは、少なくとも１つのトリミング手段を有する。１つ又はそれより多いトリミング手段は、体毛を切断すること又は除去することができるいかなる手段でもあり得、例えば単一のブレード、固定ブレード及び固定ブレードに対して相互直線運動をする可動ブレードを有するブレードセット、回転ブレード、振動ブレード、又は、レーザビーム等であるより新しい手段であり得る。
【００１６】
望ましい実施例では、トリミングヘッドは、一方は引き適用において使用され、他方は押し適用において使用される、２つのトリミング手段を有する。望ましくは、該手段は、夫々の適用の方向における更に優れた切断又は除毛効率性に対して適合される異なる向き及び互いに対する一定の距離を有して、トリミングヘッド上に配置される。
【００１７】
有利には、トリミングヘッドは、少なくとも１つのシェービング手段を有する。これは、多機能ヘアトリマー装置が切断及び／又はシェービングによっていかなる体毛も完全に除去する、ことを可能にする。
【００１８】
望ましい実施例では、トリミングヘッドは、２つのトリミング手段の間において配置されるシェービング手段を有する。この特定のトリミングヘッドによって、まず、コームユニットを用いる引き運動又は押し運動によって大変徹底的に取り除かれるべき体毛を切断し、続いて、残る毛をシェービングすることによって容易に除去する、ことが可能となる。
【００１９】
本発明の目的は更に、前述されたヘアトリマー装置を有して使用される取外し可能な付属品のコームユニットによって達成される。取外し可能な付属品のコームユニットの利点の１つは、異なる寸法を有するコーム及びフィンの異なる傾斜が運動の方向とメインボディの軸との間の最適な角度を適合するよう与えられ得る、ことである。続いてユーザは、本発明に従ったヘアトリマー装置を使用する際、自分の寸法に依存して自分に適切なコームユニットを選択し得、また、どの身体部位から体毛が除去されるべきかを選択し得る。即ち、ユーザは、自分が最も快適と感じるコームユニットを選択し得る。
【００２０】
コームユニットは、例えば異なる切断長さを与えるよう、単一構成部品のコームユニット又は複数構成部品のコームユニット（ａ  ｍｕｌｔｉｐｌｅ−ｃｏｍｐｏｎｅｎｔ  ｃｏｍｂ  ｕｎｉｔ）であり得る、ことは留意される。
【発明を実施するための最良の形態】
【００２１】
本発明の詳細な説明は、以下に与えられる。以下の説明は、添付の図面を参照して読まれるべき制限的な例によって与えられる。
【００２２】
図１ａ及び１ｂは、本発明の第１の実施例を示す。ヘアトリマー装置１は、（コームユニットによって隠されているため、点線で示される）トリミングヘッド３である上方部分を有する、ハンドグリップ２を有する。トリミングヘッド３は、ブレード又はブレードセット等であるトリミング手段４を有する。コームユニット６は、トリミングヘッド３にわたって取外し可能に取り付けられる。コームユニット６は、２つの異なる位置８及び９において取り付けられ得る。位置８では、図１ａ中に示される通りヘアトリマー装置１を引くことによって体毛をトリミングし、位置９では、図１ｂ中に示される通りヘアトリマー装置１を押すことによって体毛をトリミングする。ユーザは、コームユニット６の位置を変更することによって引きと押しとの間を切り替え得る。
【００２３】
コームユニット６は、フィン１３を有し、その先端２０は、夫々の運動の方向を向く（運動の方向を示す矢印を参照）。フィン１３の向きは、フィン１３がトリミング工程中に皮膚に接触するため、夫々の運動の方向と等しい。運動の方向を向くフィンの先端２０を有して、フィン１３は、体毛に効率よく達し、均等な切断長さを達成するよう体毛を全て直立させる、ことを確実にする。
【００２４】
フィン１３の向き又は運動の方向は、コームユニット６が引き位置８（図１ａ参照）にある場合は軸Ａに、コームユニット６が押し位置９（図１ｂ参照）にある場合は軸Ｂに一致する。メインボディ又はハンドグリップ２は、軸Ｃに一致する向きを有する。軸Ａと軸Ｃとは、角度α＝３０°を形成し、軸Ｂと軸Ｃとは、角度β＝５４°を形成する。βがαより大きいのは、人間工学の観点から、引き適用に対してはより小さな角度を、押し適用に対してはより大きな角度を有することがより便利である、ことが判明しているためである。
【００２５】
図２ａ及び２ｂは、本発明の第２の実施例を示す。ここでは、トリミングヘッド３（コームユニット６によって隠されている）は、ブレードセット等である２つのトリミング手段４及び５を有する。トリミング手段４は、ヘアトリマー装置１が引かれる場合に使用され（図２ａ参照）、トリミング手段５は、ヘアトリマー装置１が押される場合に使用される（図２ｂ参照）。トリミングヘッド３は、取外し可能な部分として設計され、ブレードセット４及び５が鈍ってきた場合には新しいものと交換され得る。
【００２６】
コームユニット６は、それをピボットさせることによって位置が変更され得るよう取り付けられる。４つの異なる位置８，９，１０，１１が与えられる。位置８及び１０（破線）は、引き適用に対するものであり（図２ａ参照）、位置９及び１１は（破線）は、押し適用に対するものである（図２ｂ参照）。異なる位置８，９，１０，１は、夫々異なる角度α又はβに繋がる。本例では、αは２３°又は３８°であり、βは５３°及び６３°である。２つより多い位置を与えることは、ユーザが自身の好みの角度を個別に選択し且つトリミングされるべき身体部位等に対してそれを適合させることができる、という利点を有する。コームユニット６は、ピボットされるため、取外し不能に、また望ましくは、トリミングヘッド３の取外しを妨害しないようメインボディ又はハンドグリップ２に対して、取り付けられる。
【００２７】
図３ａ及び３ｂは、本発明の第３の実施例を示す。ヘアトリマー装置１のメインボディは、ハンドグリップ２として形成される。装置１は、スイッチ７を用いてスイッチをオンにされ、ハンドグリップ２において配置される電池又はアキュミュレータ（ａｃｃｕｍｕｌａｔｏｒ）あるいは電源コードによって、動力を供給される。シェービングヘッド１６は、ハンドグリップ２と同一の向きを有さず、体毛除去中の近接性を高める。取外し可能なコームユニット６は、押し適用に対して上方向を向くフィン１３の先端２０（図３ａ参照）、又は、引き適用に対して下方向を向く先端２０（図３ｂ）のいずれかを有して、シェービングヘッド１６に対して取り付けられる。
【００２８】
第３の実施例のハンドグリップ２、シェービングヘッド１６、及びフィン１３の向きによって定義される軸、及びもたらされる角度は、図４ａ及び４ｂ中に示される。図４ａ中に示される通り、引き適用に対して、ハンドグリップ２の軸Ｃとフィン１３の軸Ａとは、角度α＝２０°を形成する。押し適用に対しては、図４ｂ中に示される通り、ハンドグリップ２の軸Ｃとフィンの軸Ｂとは、角度β＝５０°を形成する。加えて、ハンドグリップの軸Ｃとシェービングヘッド１６の向きに一致する軸Ｄとの間には、一定の角度γ＝６０°がある。
【００２９】
シェービングヘッド１６は、図５ａ及び５ｂにおいてより詳細に説明される。図５ａは、コームユニットを有さないヘアトリマー装置を示す。シェービングヘッド１６自体は、図５ｂ中に拡大して図示される。シェービングヘッド１６の下方半分は、ハンドグリップ２の一体部分であり、上方部分は、交換を可能にするようシェービングヘッド１６の下方部分に対して取外し可能に取り付けられるカッターユニット１７を有する。カッターユニット１７の主要部分は、シェービングフォイル１８のいずれかの側部上に配置される２つのプレトリマー１８である。故にユーザは、まず装置を引くことにより取り付けられたコームを用いて体毛をプレトリミングし、左手側のプレトリマー１９を有して体毛を切断することによって、あるいは、装置を押すことにより右手側のプレトリマー１９を有して体毛を切断することによって、ヘアトリマー装置を活用することができる。続いて、ユーザは、コームユニットを取り外し、シェービングフォイル１８を用いて残りの毛をシェービングすることによって取り除く。
【００３０】
当業者によって、シェービングフォイルを使用することは、複数の可能性のうちの１つである、ことが理解される。リボルビング式シェービング手段も使用され得る。
【００３１】
重要な特性は、ノッチ１４である。その機能は、コームユニットに対して取付け点を与えることである。図６ｂ中に見られる通り、コームユニットは、片側上に２つの突起（ｌｕｇ）を有する。コームユニットを取り付ける際、コームユニットがスナップ留めによって引き位置又は押し位置において取り付けられることに依存して、１つの突起は、常に中央のノッチへと挿入され、他方の突起は、右手側のノッチ１４又は左手側のノッチ１４のいずれかへと挿入される。
【００３２】
図６ａ及び６ｂは、コームユニット６をより詳細に示す。特には脇又は陰部領域等である敏感な身体領域から体毛を除去する際にユーザの皮膚を傷つけることを避けるよう、丸い先端２０を有する平行なフィン１３のアレイは、側壁１２の間にある。図６ｂは、側壁１２が取り付けられた状態におけるシェービングヘッド又はトリミングヘッドを包囲するようシェル状の形状を有する、という事実を示すものである。側壁１２の内側上には、突起１５が配置され、そのうちの２つは対向する側部上に配置される。コームユニット６を取り付ける際、突起１５は、図５ｂ中に示される通りノッチへと取り込まれる。
【００３３】
単一構成部品のコームユニットが図示される事実に関わりなく、コームユニットは、例えば前出の特許文献１中に記載される通り、複数構成部品のコームユニットでもあり得る、ことは留意される。更に、ヘアトリマー装置に対して取り付けられる際に位置を調節することなく引き運動及び押し運動を与えるコームユニットは、本発明に従ったコームユニットと比較して更に大きい、ことが留意される。これは、同程度のコーミング（ｃｏｍｂｉｎｇ）効果を保証するようかかるコームユニットが約２倍の大きさであり、故に人間工学の観点からは優れていない、ためである。
【００３４】
本発明の複数の望ましい実施例が記載されてきたが、当業者は、多種の変更、及び代替案が本発明の趣旨及び概念から逸脱することなくなされ得ることを十分に理解する。したがって本発明は、添付の請求項の固有の範囲を有する形状又は改良においても主張される。例えば、添付の従属請求項の特性の多種の組合せは、本発明の範囲を逸脱することなく独立請求項の特性を有してなされ得る。更に、請求項中の参照符号は、請求項の範囲を制限するものとして解釈されるべきではない。
【図面の簡単な説明】
【００３５】
【図１ａ】引き位置においてコームユニットを有する本発明の第１の実施例の略図である。
【図１ｂ】押し位置においてコームユニットを有する第１の実施例の略図である。
【図２ａ】引き位置においてコームユニットを有する本発明の第２の実施例の略図である。
【図２ｂ】押し位置においてコームユニットを有する第２の実施例の略図である。
【図３ａ】押し位置においてコームユニットを有する本発明の第３の実施例を図示する。
【図３ｂ】引き位置においてコームユニットの第３の実施例を図示する。
【図４ａ】図３ｂに従った実施例の幾何学的設計を図示する。
【図４ｂ】図３ａに従った実施例の幾何学的設計を図示する。
【図５ａ】コームユニットを有さない場合の第３の実施例を図示する。
【図５ｂ】図５ａの拡大詳細図である。
【図６ａ】第３の実施例のコームユニットの第１の斜視図である。
【図６ｂ】第３の実施例のコームユニットの第２の斜視図である。
【図１ａ】
2008536548.tif 000003
【図１ｂ】
2008536548.tif 000004
【図２ａ】
2008536548.tif 000005
【図２ｂ】
2008536548.tif 000006
【図３ａ】
2008536548.tif 000007
【図３ｂ】
2008536548.tif 000008
【図４ａ】
2008536548.tif 000009
【図４ｂ】
2008536548.tif 000010
【図５ａ】
2008536548.tif 000011
【図５ｂ】
2008536548.tif 000012
【図６ａ】
2008536548.tif 000013
【図６ｂ】
2008536548.tif 000014
【国際調査報告】
2008536548.tif 000015
2008536548.tif 000016
2008536548.tif 000017